(57)【要約】ステープラ本体にカートリッジを安定且つガタツキが無いようにして取り付けることができ、扉部材の開き動作に連動してカートリッジの固定を解除できるステープラを提供する。ステープラ１００は、ステープラ本体１０１のカートリッジ収納室１０２に引き出し自在に設けられたカートリッジ１４０を有し、カートリッジ収納室１０２の開口下部には、係止軸１２１が弾性部材１２６によって上方に付勢されて設けられている。カートリッジ１４０は、係止突起１８０と扉部材１８５を有し、カートリッジ収納室１０２内に押し込まれて収納された時、係止突起１８０が前記係止軸１２１に係止され、さらに扉部材１８５が前記係止軸１２１によってカートリッジ収納室１０２の開口を閉じるように付勢され、扉部材１８５を開くと扉部材１８５が係止軸１２１を係止突起１８０から外せるようになっている。
2004071727.tif 000002
【特許請求の範囲】
【請求項１】
ステープラ本体と、ステープラ本体のカートリッジ収納室に引き出し自在に装着されたカートリッジとからなり、
カートリッジ収納室の開口下部には、弾性部材によって上方に付勢された係止軸が設けられており、
カートリッジは、係止突起と扉部材を有し、
カートリッジ収納室内にカートリッジが装着された時に、
前記係止突起は、前記係止軸に係止され、
前記扉部材は、前記係止軸によってカートリッジ収納室の開口を閉じるように付勢されており、
カートリッジ収納室の開口を閉じている扉部材を開く時に、扉部材が前記係止軸を係止突起から外すようになっていることを特徴とするステープラ。
【請求項２】
カートリッジには、ステープラ本体のカートリッジ収納室からカートリッジを引き出した時に、前記係止軸に係止される係止部が形成されていることを特徴とする請求項１記載のステープラ。
【請求項３】
カートリッジ収納室の両側にはガイド溝が形成され、カートリッジの両側には前記ガイド溝に案内されるガイド爪が形成され、該ガイド爪を前記ガイド溝から外すことによって、ステープラ本体からカートリッジを取り外すことができるようにしたことを特徴とする請求項１又は２記載のステープラ。
【請求項４】
ステープラ本体と、ステープラ本体のカートリッジ収納室に引き出し自在に装着されたカートリッジとからなり、
カートリッジ収納室の上部には、カートリッジに収容されたステープル用リフィルを、カートリッジを装着する方向に案内するための案内部材が形成されていることを特徴とするステープラ。
【発明の詳細な説明】
【技術分野】  本願発明は、ステープラ本体と、ステープル用リフィルを収容し、ステープラ本体のカートリッジ収納室に引き出し自在に装着されるカートリッジとからなるステープラに関する。
【背景技術】  従来のステープラは、ステープラ本体にカートリッジが着脱自在に装着されており、カートリッジをステープラ本体から取り外して、ステープル用リフィルを収容し、このステープル用リフィルを収容したカートリッジをステープラ本体に装着して使用されていた。
従来のステープラは、ステープラ本体のプラスチック素材の弾性若しくはバネの弾性等を利用してカートリッジを圧入固定し、カートリッジを安定且つガタツキが無いようにして取り付ける必要があった。しかし、圧入固定用の部品の精度の如何によっては、圧入設定の公差限界付近でのカートリッジのセット不良、バネの弾性力不足による押さえ不良等が発生してしまい、カートリッジを不安定に装着してしまう場合があるという問題点があった。また、かかる問題点の解決手段として、くさび方式によってカートリッジを固定する方法も考えられるが、このくさびを引き抜く工程にリンク等の複雑な構成が必要となり安価に製造することができないだけでなく、くさび解除の手順追加により作業の効率が悪くなるという問題点があった。
従来のステープラは、ステープル用リフィルを交換するため、ステープラ本体からカートリッジを取り外し、このカートリッジに新しいステープル用リフィルを収容し、ステープラ本体に装着するようにしていた。しかし、このステープル用リフィルの交換時に誤ってカートリッジを落として壊してしまうことも考えられる。また、この交換は両手で行う必要があり、片手では交換作業ができないという不便もあった。さらにまた、ジャム処理を手元で行うことができるようにカートリッジにフェースプレートがつけられているが、ステープル用リフィル交換時にはジャム処理部まで引き抜いて交換作業をするものであるため、ジャム処理部との混乱を招くという問題点があった。
また従来のステープラは、ステープル用リフィルがカートリッジに不完全に収容されている場合、針無しセンサーが働き、セット不良を警告していた。しかし、単に前記警告をするだけで、セット不良を未然に防ぐことはできないという問題点があった。
本願発明は、上記問題点に鑑み発明されたものであって、その第１の目的は、ステープラ本体にカートリッジを安定且つガタツキが無いようにして装着することができ、扉部材の開き動作に連動してカートリッジの固定を解除でき、複雑な構成を必要とせず、安価に製造することができ、ステープラ本体からカートリッジを引き出してステープル用リフィルを交換でき、カートリッジの落下防止を図り、片手で交換作業ができるステープラを提供することである。また、第２の目的は、引き出し自在に設けられたカートリッジをステープラ本体から取り外すことができ、カートリッジ自体を交換することができるステープラを提供することである。さらに、第３の目的は、ステープラ本体にカートリッジを押し込んで装着すると、ステープル用リフィルをカートリッジに自動的に収容することができ、ステープル用リフィルのセット不良を防止することができるステープラを提供することである。
【発明の開示】
本願請求項１記載のステープラは、上記第１の目的を達成するため、ステープラ本体と、ステープラ本体のカートリッジ収納室に引き出し自在に装着されたカートリッジとからなり、カートリッジ収納室の開口下部には、弾性部材によって上方に付勢された係止軸が設けられており、カートリッジは、係止突起と扉部材を有し、カートリッジ収納室内にカートリッジが装着された時に、前記係止突起は、前記係止軸に係止され、前記扉部材は、前記係止軸によってカートリッジ収納室の開口を閉じるように付勢されており、カートリッジ収納室の開口を閉じている扉部材を開く時に、扉部材が前記係止軸を係止突起から外すようになっている。
本願請求項２記載のステープラは、上記第１の目的を達成するため、上記カートリッジには、ステープラ本体のカートリッジ収納室からカートリッジを引き出した時に、前記係止軸に係止される係止部が形成されている。
本願請求項３記載のステープラは、上記第２の目的を達成するため、上記カートリッジ収納室の両側にはガイド溝が形成され、カートリッジの両側には前記ガイド溝に案内されるガイド爪が形成され、該ガイド爪を前記ガイド溝から外すことによって、ステープラ本体からカートリッジを取り外すことができるようにした。
本願請求項４記載のステープラは、上記第３の目的を達成するため、ステープラ本体と、ステープラ本体のカートリッジ収納室に引き出し自在に装着されたカートリッジとからなり、カートリッジ収納室の上部には、カートリッジに収容されたステープル用リフィルを、カートリッジを装着する方向に案内するための案内部材が形成されている。
【図面の簡単な説明】  図１は、本願発明に係るステープラの一つの実施の形態を示す全体斜視図である。図２は、ステープラ本体に装着されたカートリッジからステープル用リフィルを取り出した状態を示す斜視図である。図３は、ステープラ本体からカートリッジを取り外した状態を示す斜視図である。図４は、ステープラ本体にカートリッジを装着した状態の説明図である。図５は、ステープラ本体からカートリッジを引き出した状態の説明図である。図６は、ステープラ本体からカートリッジを取り外した状態を示す側面図である。図７は、図６の断面図である。図８は、ステープラ本体からカートリッジを引き出している動きを説明する説明図である。図９は、ステープラ本体のカートリッジにステープル用リフィルを収容する前の状態を示す斜視図である。図１０は、ステープラ本体のカートリッジにステープル用リフィルが収容される動きを説明する説明図である。図１１は、ステープラ本体のカートリッジにステープル用リフィルが収容される動きを説明する説明図である。図１２は、カートリッジの動きを説明する側面図である。図１３は、カートリッジの説明図である。図１４は、カートリッジに取り付けられる扉部材の説明図である。図１５は、カートリッジの要部説明図である。図１６は、カートリッジの要部説明図である。図１７は、ステープル用リフィルの説明図である。図１８は、ステープル用リフィルの六面図である。
【発明を実施するための最良の形態】  本願発明に係るステープラは、複写機や卓上型電動ステープラ装置に内蔵されるものであり、当該複写機や卓上型電動ステープラ装置に設けられる駆動機構および制御機構（図示せず）によって駆動され、複数枚の用紙を一つに綴じるステープル動作を行うものである。なお、本実施の形態においては、紙綴じ動作を行う駆動機構および制御機構についての図示および詳細な説明は省略する。
本願発明に係るステープラの一つの実施の形態を、図１乃至図１８に基づいて説明する。図１は、本願発明に係るステープラの一つの実施の形態を示す全体斜視図であり、（ａ）はカートリッジをステープラ本体に押し込んで装着した状態の斜視図であり、（ｂ）はカートリッジをステープラ本体から引き出した状態の斜視図である。図２は、ステープラ本体に装着されたカートリッジからステープル用リフィルを取り出した状態を示す斜視図である。図３は、ステープラ本体からカートリッジを取り外した状態を示す斜視図である。図４は、ステープラ本体にカートリッジを装着した状態の説明図であり、（ａ）は側面図であり、（ｂ）（ｃ）は側面断面図である。
図５は、ステープラ本体からカートリッジを引き出した状態の説明図であり、（ａ）は側面図であり、（ｂ）は側面断面図である。図６は、ステープラ本体からカートリッジを取り外した状態を示す側面図である。図７は、図６の断面図である。図８は、ステープラ本体からカートリッジを引き出している動きを説明する説明図である。図９は、ステープラ本体のカートリッジにステープル用リフィルを収容する前の状態を示す斜視図である。
図１０、１１は、ステープラ本体のカートリッジにステープル用リフィルが収容される動きを説明する説明図である。図１２は、カートリッジの動きを説明する側面図である。図１３は、カートリッジの説明図であり、（ａ）は上面図、（ｂ）は側面図、（ｃ）は下面図である。図１４は、カートリッジに取り付けられる扉部材の説明図である。図１５，１６は、カートリッジの要部説明図である。図１７は、ステープル用リフィルの説明図であって、（ａ）は上から視た斜視図であり、（ｂ）は下から視た斜視図である。図１８は、ステープル用リフィルの六面図である。
ステープラ１００は、ステープラ本体１０１と、ステープラ本体１０１のカートリッジ収納室１０２に引き出し自在に装着されたカートリッジ１４０とからなる。当該ステープラ本体１０１には、紙を綴じるステープル機構（図示せず）に対して針（ステープル）を供給するためのステープル用リフィル１を交換可能に装着することができるようになっている。このステープル用リフィル１は、複数枚のシート状連結ステープルＳを収容している。
ステープラ本体１０１は、前記ステープル用リフィル１を装着したカートリッジ１４０を収納するカートリッジ収納室１０２を有している。また、ステープラ本体１０１の後方には当該カートリッジ収納室１０２の開口１０８が設けられている。
カートリッジ収納室１０２の開口１０８下部には、弾性部材１２６によって上方に付勢された係止軸１２１が設けられている。カートリッジ１４０は、係止突起１８０と扉部材１８５を有している。カートリッジ収納室１０２内にカートリッジ１４０が装着された時に、前記係止突起１８０は、前記係止軸１２１に係止され、前記扉部材１８５は、前記係止軸１２１によってカートリッジ収納室１０２の開口１０８を閉じるように付勢されるようになっている。カートリッジ収納室１０２の開口１０８を閉じている扉部材１８５を開く時に、扉部材１８５が前記係止軸１２１を係止突起１８０から外すようになっている。
上記構成により、カートリッジ収容室１０２に対してステープル用リフィル１を収容したカートリッジ１４０を押し込んで装着すると、前記係止軸１２１に対して係止突起１８０が係合し、カートリッジ１０４がステープラ本体１０１に対して固定される。また、当該カートリッジ１４０の固定と同時に、扉部材１８５が係止軸１２１によって押し上げられ、開口１０８の一部を覆うようになっている。この状態から扉部材１８５を開くように引くと扉部材１８５が前記係止軸１２１を押し下げるので、カートリッジ１４０の係止突起１８０と係止軸１２１の係合が解除される。当該扉部材１８５の操作により、装着したカートリッジ１４０をステープラ本体１０１から引き出すことができるようになっている。
カートリッジ１４０には、ステープラ本体１０１のカートリッジ収納室１０２からカートリッジ１４０を引き出した時に、前記係止軸１２１に係止される係止部１７０が形成されている。係止部１７０はカートリッジ１４０の底部に設けられた凹部として形成されており、当該係止部（係止凹部）１７０に係止軸１２１が係合することにより、カートリッジ１４０を固定するようになっている。
カートリッジ収納室１０２の両側には、ガイド溝１１５が形成されている。カートリッジ１４０の両側には、前記ガイド溝１１５に案内されるガイド爪１６０，１６１が形成され、該ガイド爪１６０，１６１を前記ガイド溝１１５から外すことによって、ステープラ本体１０１からカートリッジ１４０を取り外すことができる。ガイド爪１６０、１６１は可撓性を有する部材であって、カートリッジ１４０の両側面から外側に突出した部分を有している。当該突出した部位は、前記ガイド溝１１５に案内されるようになっている。ガイド爪１６０、１６１は、内側に押すことによって撓み、ガイド溝１１５と前記突出した部分との係合を解除することができるようになっている。
ステープラ１００は、ステープラ本体１０１と、ステープラ本体１０１のカートリッジ収納室１０２に引き出し自在に装着されたカートリッジ１４０とからなる。カートリッジ収納室１０２の上部には、カートリッジ１４０に収容されたステープル用リフィル１を、カートリッジ１４０を装着する方向に案内するための案内部材１３８が形成されている。
以下、ステープラについてさらに詳細に説明する。図１７，１８に示すように、ステープル用リフィル１は、リフィル本体２と押圧部材７０とからなる。リフィル本体２は、底壁３と、底壁３の前部に略直角に設けられた前壁５と、底壁３の右部に略直角に設けられた右壁６と、底壁３の左部に略直角に設けられた左壁７と、底壁３の後部に回動自在に設けられた係止板９とからなる。
底壁３には、略中央に矩形状の透孔１１が形成され、前端に略コ字状の切り欠き１２が形成され、上面（本体２内面側）の左右両側にシート状連結ステープルＳの逆行を防止するための逆行防止突起１８，１９が連続して形成されている。右壁６と左壁７の前部には、上下方向に向って伸びる案内溝２０，２１が形成されている。案内溝２０，２１の下端には、前方に向って凹部２２，２３が形成され、案内溝２０，２１の上端には、後方に向って凹部２４，２５が形成されている。案内溝２０，２１近傍には、略三角状の小凸起２６，２７が連続して形成されている。
右壁６の前部には、略垂直の前端縁３１から略水平の上端縁３２まで伸びる右傾斜縁３３が形成されている。同様に左壁７の前部には、略垂直の前端縁３５から略水平の上端縁３６まで伸びる左傾斜縁３７が形成されている。
前壁５の下部には、シート状連結ステープルＳを排出するための排出口４１が形成されている。この排出口４１は、底壁３の切り欠き１２と連通している。排出口４１の上部には、排出口４１を塞ぐ蓋部材４５が設けられている。また、前壁５の下部両端には、一対の突起状の係止部４８，４９が形成されている。
係止板９の左右端上部には、軸受け板５２，５３が一体に形成されている。軸受け板５２，５３は、右壁６と左壁７の上部に回動自在に枢支されている。係止板９には、両側を溝６２，６３に挟まれて形成された可撓片６５が設けられている。この可撓片６５には、係止孔６６が形成されている。係止板９の内側面には、上端から下端まで伸びる当接突起６４，６９が設けられている。
図２に示すように、押圧部材７０は、押圧板７１と、押圧板７１の左右両側に設けられた補強壁７２，７３と、左右の補強壁７２，７３から突出するようにして設けられた案内軸７５とからなっている。案内軸７５の両側は、右壁６と左壁７の案内溝２０，２１に案内されるようになっている。案内軸７５の近傍には、前記小凸起２６，２７に係止して、押圧部材７０の上方への移動を阻止し、押圧部材７０の下方への移動を可能にした係止片７６が設けられている。
押圧板７１の係止段部８６，８６の両側には、ガイド突起８０，８０が形成されている。また、押圧板７１の下面略中央とガイド突起８０，８１の下面には、シート状連結ステープルＳを押圧する押圧突起８２が一対ずつ設けられている。
シート状連結ステープルＳは、細い棒状のステープルを複数並べて接着し、一枚のシート状に形成したものである。ステープルが所定の用紙に打ち込まれる際には、先端のステープルのみが打ち込まれるようになっている。
ステープラ１００のステープラ本体１０１は、複写機や印刷機に取り付けられるものであって、図３に示すように、カートリッジ収納室１０２が形成されている。このカートリッジ収納室１０２内には、カートリッジ１４０が引き出し自在に装着されている。カートリッジ収納室１０２は、底壁１０３と、底壁１０３の右側に形成された右壁１０５と、底壁１０３の左側に形成された左壁１０６と、上壁１０７によって形成され、カートリッジ収納室１０２の前部と後部は開放されている。
右壁１０５と左壁１０６の後縁は、後方（カートリッジ１４０を引き出す方向）に向って下降傾斜する傾斜縁１０９，１１０と、下方に向って伸びる垂直縁１１１，１１２を有した形状に形成されている。右壁１０５と左壁１０６の前部は切り欠かれており、この切り欠き部１７４，１７５には、ステープラ１００のドライバ（図示せず）が位置するようになっている。右壁１０５と左壁１０６の内側下部には、後方に第１のガイド溝１１５，１１５が形成され、前方に第２のガイド溝１１６，１１６が形成されている。第１のガイド溝１１５は、第２のガイド溝１１６より高く形成されている。第１のガイド溝１１５の前部には、略Ｌ字状の切り欠き１１７を設けることによってストッパー片１１８が形成されている。
底壁１０３の後部１２０は、傾斜しており、当該後部１２０の上部に底壁１０３から僅かに突出する係止軸１２１が略水平に設けられている。図４に示すように、係止軸１２１は、右壁１０５と左壁１０６に形成された上下方向に伸びる長孔１２２，１２３に、両端が摺動自在に案内されている。
又係止軸１２１の両端には、右壁１０５と左壁１０６の外側に設けられた支軸１２５，１２５に一端が固定されたバネ状の弾性部材１２６，１２６の他端が取り付けられている。係止軸１２１は、当該弾性部材１２６、１２６によって上方に付勢されており、また当該係止軸１２１の両端は長孔１２２，１２３の上端に当接している。
右壁１０５と左壁１０６の内側上部には、アーム部材１３０，１３０が回動自在に設けられている。アーム部材１３０，１３０の上部には回動軸１３１，１３１が設けられ、略中間部より上部には、バネ受け部材１３２，１３２が設けられている。アーム部材１３０，１３０は、右壁１０５と左壁１０６の上部に形成された軸受孔１３３，１３３に枢着された回転軸１３１，１３１を中心として、回動可能となっている。又、アーム部材１３０，１３０には、右壁１０５および左壁１０６に形成した透孔１１３、１１４を介して突出して形成されたバネ受け部材１３２、１３２が設けられている。当該バネ受け部材１３２、１３２には、右壁１０５と左壁１０６の外側にそれぞれ設けられた支軸１３５，１３５に一端を固定したバネ状の弾性部材１３４，１３４が他端が固定されており、これによって、アーム部材１３０、１３０が下方に付勢されている。
底壁１０３の前端には、前壁１３６が形成されている。前壁１３６の略中央には係止孔１３７が形成されている。上壁１０７の後端両側には、略水平の案内部材１３８が形成されている。
カートリッジ１４０は、底板１４１と、底板１４１の右端前部に設けられた右ガイド板１４２と、底板１４１の右端後部に設けられた右側板１４３と、底板１４１の左端前部に設けられた左ガイド板１４５と、底板１４１の左端後部に設けられた左側板１４６と、底板１４１の後端に設けられた後板１４７と、底板１４１の前端に設けられた前板１４９とからなる。
底板１４１の前部には、矩形状の開口１４８が形成されている。カートリッジ１４０の前部には、ステープル打ち出しガイド１５０が設けられている。ステープル打ち出しガイド１５０には、ステープル用リフィル１の前壁５に設けられた係止部４８，４９を係止する一対の係止凹部１５１，１５１が形成され、さらに前壁５に設けられた蓋部材４５が当接する当接部１５２が形成されている。
カートリッジ１４０は、後板１４７の略中央に係止爪１５３が形成され、前板１４９に係止突起１５５が設けられている。右側板１４３には、略コ字状の溝１５６によってガイド爪１６０が形成され、左側板１４６には、略コ字状の溝１５７によってガイド爪１６１が形成されている。ガイド爪１６０，１６１は、上部に形成された水平壁１６３，１６３と、当該水平壁１６３、１６３の先端部分に形成されたテーパ状の案内面１６６、１６６および下部に形成された傾斜壁１６５，１６５とを有する。なお、ガイド爪１６０，１６１の後部には、操作部１６７，１６７が形成されている。
右側板１４３と左側板１４６の下端縁前部には、係止凹部１７０，１７０が形成されている。係止凹部１７０は、後傾斜縁１７１と、後傾斜縁１７１より傾斜角度が急な前傾斜縁１７２とからなる。前傾斜縁１７２の先端１７３は、右側板１４３と右側板１４６の下端縁より若干突出している。
右側板１４３と左側板１４６の下端縁後部には、係止突起１８０，１８０が形成されている。係止突起１８０は、前部に形成された傾斜縁１８１と、後部に形成された垂直縁１８２とからなる。
カートリッジ１４０は、後部に扉部材１８５を備えている。扉部材１８５は、カバー部１８６と、カバー部１８６の両側に設けられたアーム部１８７，１８７とからなる。アーム部１８７，１８７の先部には、回動孔１８９，１８９が形成されている。当該回動孔１８９，１８９は、右側板１４３と左側板１４６の略中心に形成された支軸１９０，１９０に回動自在に取り付けられている。
従って、扉部材１８５は、支軸１９０，１９０を中心にして回動可能である。扉部材１８５は、右側板１４３と左側板１４６に形成された係合凸起１９１，１９１にアーム部１８７，１８７が係合する位置から、後板１４７に形成された係合片１９２にカバー部１８６の係合凹部１９３が係合する位置までの間で、回動することができる。
次にステープラ１００の使用方法について説明する。図１０に示すように、ステープル用リフィル１には、リフィル本体２内にシート状連結ステープルＳが積層された状態で収納されている。積層されたシート状連結ステープルＳは、底壁３に載置され、前壁５と係止板９の当接突起６４，６９によって前後方向への移動が規制され、右壁６と左壁７によって左右方向への移動が規制されている。押圧部材７０は、ガイド突起８０，８１の先端が前壁５に当接し、後部７４が係止板９の当接突起６４，６９に当接している。
上記ステープル用リフィル１をカートリッジ１４０に装着する方法について説明する。リフィル本体２の係止部４８，４９を係止凹部１５１，１５１に係止させる。この際、蓋部材４５が当接部１５２に当接して排出口４１を開放する。次に、リフィル本体２をカートリッジ１４０側に押圧すると、可撓片６５が係止爪１５３に当接して内側に撓み、可撓片６５に形成された係止孔６６と係止爪１５３とが係合すると、可撓片６５は元の状態に復帰する。これにより、ステープル用リフィル１がカートリッジ１４０に対して固定される。
次に、前記ステープル用リフィル１を装着したカートリッジ１４０をステープラ本体１０１に装着する方法を説明する。
カートリッジ１４０をステープラ本体１０１内に押し込むと、カートリッジ収納室１０２の両側に設けられたアーム部材１３０，１３０が押圧部材７０の案内軸７５の両端と係合して、アーム部材１３０，１３０が弾性部材１３４，１３４の弾性に抗して押し上げられる。従って、押圧部材７０は、弾性部材１３４，１３４によって下方に付勢されたアーム部材１３０，１３０により下方に押し下げられ、押圧突起８２が積層されたシート状連結ステープルＳを押圧する。
なお、リフィル本体２がカートリッジ１４０内に完全にセットされていない場合、即ち係止孔６６が係止爪１５３に係止されていない状態であっても、図１０、１１に示すようにカートリッジ１４０がステープラ本体１０１内に押し込まれるとリフィル本体２の右傾斜縁３３、左傾斜縁３７、右壁６の上端縁３２、左壁７の上端縁３６が案内部材１３８によって案内されるため、リフィル本体２が案内部材１３８，１３８によって押圧されて下降し、係止孔６６が係止爪１５３に係止される。
カートリッジ１４０をステープラ本体１０１のカートリッジ収納室１０２内に完全に装着すると、前記係止軸１２１が係止突起１８０，１８０の傾斜縁１８１，１８１に沿って下方に移動する。係止軸１２１は弾性部材１２６、１２６によって上方に付勢されており、常にカートリッジ１４０の下端縁と当接するようになっている。係止軸１２１が係止突起１８０，１８０を乗り越えると、垂直縁１８２，１８２と当接する。係止軸１２１が移動できる方向は上下方向のみであるので、係止軸１２１は前記垂直縁１８２によってカートリッジ１４０の引き出し方向に押圧されても下方に移動せず、係止突起１８０，１８０を乗り越えないようになっている。すなわち、係止軸１２１が前記垂直縁１８２と当接することによって、カートリッジ１４０の後退を阻止するようになっている。
また、前述のようにカートリッジ１４０がステープラ本体１０１に押し込まれると、係止軸１２１が扉部材１８５のアーム部材１８７，１８７と係合して、アーム部材１８７，１８７を押し上げるので、扉部材１８５が閉じ、カートリッジ収納室１０２の開口１０８を塞ぐようになっている。
ステープラ１００を駆動すると、送り爪（図示せず）によりシート状連結ステープルＳが排出口４１から送り出され、先端のステープルがドライバにより紙を綴じるように打ち込まれる。前送り爪は、カートリッジ１４０底部の開口１４８、リフィル本体底部の透孔１１を介してシート状連連結ステープルＳの底面と係合し、シート状連結ステープルＳを送り出すようになっている。
リフィル本体２内からシート状連結ステープルＳが全て排出されると押圧板７１が底壁３に当接し、ガイド突起８０，８１が前壁５から外れて前方に移動可能となり、係止板９が回動可能となるため、係止孔６６が係止爪１５３から解除可能となる。
図８に示すように、扉部材１８５を押し下げて開くと、アーム部材１８７，１８７が係止軸１２１を弾性部材１２６，１２６の弾性に抗して押し下げていき、係止軸１２１を係止突起１８０，１８０の垂直縁１８２，１８２から外すと共に、係止軸１２１を支点としてカートリッジ１４０を引き出すことができる（図８（ｃ）参照）。さらにカートリッジ１４０を引き出すと、係止軸１２１が係止凹部１７０，１７０に係止し、これ以上のカートリッジ１４０の引き出しが阻止されるようになっている。
なお、係止凹部１７０，１７０は、後傾斜縁１７１と前傾斜縁１７２により形成されており、無理矢理に引っ張ると係止軸１２１が前傾斜縁１７２を乗り越え、カートリッジ１４０を引き出すことができる。これにより、カートリッジ１４０を無理矢理に引っ張った場合であってもカートリッジ１４０が壊れることがない。
カートリッジ１４０は、図５，図８（ｄ）の状態において、ガイド爪１６０，１６１の操作部１６７，１６７を内側に押し込むことによって、ガイド爪１６０，１６１が第１のガイド溝１１５，１１５から外れるため、ステープラ本体１０１から取り外すことができる。
ガイド爪１６０、１６１は、前述したようにカートリッジ１４０の側面に設けられた部材である。各ガイド爪１６０、１６１の上端には、水平壁１６３、１６３が設けられており、当該水平壁１６３、１６３の一部は、カートリッジ１４０の側面よりも外側に突出して形成されている。また、水平壁１６３、１６３の先端部にはテーパ状の案内面１６６、１６６が形成されている。当該水平壁１６３が、ステープラ本体１０１のガイド溝（１１５、１１５）の上端縁と係合することにより、カートリッジ１４０の上方への移動が制限されるようになっている。
前記水平壁１６３、１６３の下部には、突出した部分から斜めに傾斜する傾斜面（傾斜壁１６５、１６５）が設けられている。前記案内面１６６および傾斜壁１６５は、ステープラ本体１０１に対してカートリッジ１４０を装着する際に、ステープラ本体１０１の右壁１０５、左壁１０６に当接してガイド爪１６０、１６１を内側に撓ませる作用を有している。
カートリッジ１４０は、カートリッジ収納室１０２内の底壁１０３に、前板１４９の下端を摺接するようにして押し込むことによりステープラ本体１０１に装着される。この際、ガイド爪１６０，１６１の傾斜壁１６５，１６５および案内面１６６、１６６が、右壁１０５と左壁１０６の開口１０８内側縁に摺接することにより、ガイド爪１６０，１６１を内側に撓せる。次に、ガイド爪１６０，１６１を内側に撓ませた後に、水平壁１６３，１６３の突出した部分をガイド壁１１５，１１５を形成した溝部分に嵌合させる。このように、ガイド爪１６０、１６１を一端撓ませた後にガイド溝１１５に嵌合させることにより、カートリッジ１４０をステープラ本体１０１に摺動できるようになっている。また、当該装着と略同時に係止凹部１７０，１７０が係止軸１２１に係止されるようになっている（図５，図８（ｄ）参照）。
カートリッジ１４０を前方に押し込むと、ガイド爪１６０，１６１が第１のガイド溝１１５，１１５に案内され、さらにカートリッジ１４０先端部の左ガイド板１４５と右ガイド板１４２がステープラ本体１０１の第２のガイド溝１１６，１１６に摺動自在に案内される。また、カートリッジ１４０の係止突起１５５が、ステープラ本体１０１の前壁１３６の係止孔１３７に係止されて前部が固定される。それと略同時に係止軸１２１が、係止突起１８０の垂直縁１８２，１８２と係合してカートリッジ１４０の下端を押し上げるようにカートリッジ１４０に接する。これにより、カートリッジ１４０の後部が固定され、図４に示すように、カートリッジ１４０はステープラ本体１０１内にガタツクことなく安定して取り付けられる。
【発明の効果】
以上説明してきたように、本願発明に係るステープラは、ステープラ本体と、ステープラ本体のカートリッジ収納室に引き出し自在に装着されたカートリッジとからなり、カートリッジ収納室の開口下部には、弾性部材によって上方に付勢された係止軸が設けられており、カートリッジは、係止突起と扉部材を有し、カートリッジ収納室内にカートリッジが装着された時に、前記係止突起は、前記係止軸に係止され、前記扉部材は、前記係止軸によってカートリッジ収納室の開口を閉じるように付勢されており、カートリッジ収納室の開口を閉じている扉部材を開く時に、扉部材が前記係止軸を係止突起から外すようになっているので、ステープラ本体にカートリッジを安定且つガタツキが無いようにして取り付けることができ、また扉部材の開き動作に連動してカートリッジの固定を解除でき、さらに複雑な構成を必要とせず、安価に製造することができる。しかも、ステープラ本体からカートリッジを引き出してステープル用リフィルを交換できるので、カートリッジの落下防止を図り、片手で交換作業ができるという効果もある。
本願発明に係るステープラは、カートリッジに、ステープラ本体のカートリッジ収納室からカートリッジを引き出した時に、前記係止軸に係止される係止部が形成されているので、カートリッジをステープラ本体から容易に取り外すことができないという効果がある。
本願発明に係るステープラは、カートリッジ収納室の両側にはガイド溝が形成され、カートリッジの両側には前記ガイド溝に案内されるガイド爪が形成されているので、該ガイド爪を前記ガイド溝から外すことによって、引き出し自在に設けられたカートリッジをステープラ本体から簡単に取り外すことができ、カートリッジ自体を交換することができるという効果がある。
本願発明に係るステープラは、ステープラ本体と、ステープラ本体のカートリッジ収納室に引き出し自在に装着されたカートリッジとからなり、カートリッジ収納室の上部には、カートリッジに収容されたステープル用リフィルを、カートリッジを装着する方向に案内するための案内部材が形成されているので、ステープル本体にカートリッジを押し込むと、案内部材がステープル用リフィルをカートリッジに自動的に装着することができ、ステープル用リフィルのセット不良を防止することができるという効果がある。
【符号の説明】
Ｓ・・シート状連結ステープル、１・・ステープル用リフィル、２・・リフィル本体、３・・底壁、５・・前壁、６・・右壁、７・・左壁、９・・係止板、１１・・透孔、１２・・切り欠き、１８・・逆行防止突起、１９・・逆行防止突起、２０・・案内溝、２１・・案内溝、２２・・凹部、２３・・凹部、２４・・凹部、２５・・凹部、２６・・小凸起、２７・・小凸起、３１・・前端縁、３２・・上端縁、３３・・右傾斜縁、３５・・前端縁、３６・・上端縁、３７・・左傾斜縁、４１・・排出口、４５・・蓋部材、４８・・係止部、４９・・係止部、５２・・軸受け板、５３・・軸受け板、６２・・溝、６３・・溝、６４・・当接突起、６５・・可撓片、６６・・係止孔、６９・・当接突起、７０・・押圧部材、７１・・押圧板、７２・・補強壁、７３・・補強壁、７５・・案内軸、７６・・係止片、８０・・ガイド突起、８１・・ガイド突起、８２・・押圧突起、８６・・係止段部、１００・・ステープラ、１０１・・ステープラ本体、１０２・・カートリッジ収納室、１０３・・底壁、１０５・・右壁、１０６・・左壁、１０７・・上壁、１０８・・開口、１０９・・傾斜縁、１１０・・傾斜縁、１１１・・垂直縁、１１２・・垂直縁、１１３・・透孔、１１５・・第１のガイド溝、１１６・・第２のガイド溝、１１７・・切り欠き、１１８・・ストッパー片、１２０・・後部、１２１・・係止軸、１２２・・長孔、１２３・・長孔、１２５・・支軸、１２６・・弾性部材、１３０・・アーム部材、１３１・・回動軸、１３２・・バネ受け部材、１３３・・軸受孔、１３４・・弾性部材、１３５・・支軸、１３６・・前壁、１３７・・係止孔、１３８・・案内部材、１４０・・カートリッジ、１４１・・底板、１４２・・右ガイド板、１４３・・右側板、１４５・・左ガイド板、１４６・・左側板、１４７・・後板、１４８・・開口、１４９・・前板、１５０・・ステープル打ち出しガイド、１５１・・係止凹部、１５２・・当接部、１５３・・係止爪、１５５・・係止突起、１５６・・溝、１５７・・溝、１６０・・ガイド爪、１６１・・ガイド爪、１６３・・水平壁、１６５・・傾斜壁、１６７・・操作部、１７０・・係止凹部、１７１・・後傾斜縁、１７２・・前傾斜縁、１７３・・先端、１７４・・切り欠き部、１７５・・切り欠き部、１８０・・係止突起、１８１・・傾斜縁、１８２・・垂直縁、１８５・・扉部材、１８６・・カバー部、１８７・・アーム部、１８９・・回動孔、１９０・・支軸、１９１・・係合凸起、１９２・・係合片、１９３・・係合凹部
【産業上の利用可能性】  本願発明は、複写機、印刷機等に装備されている電動ステープラに利用可能である。
【図１】
2004071727.tif 000003
【図２】
2004071727.tif 000004
【図３】
2004071727.tif 000005
【図４】
2004071727.tif 000006
【図５】
2004071727.tif 000007
【図６】
2004071727.tif 000008
【図７】
2004071727.tif 000009
【図８】
2004071727.tif 000010
【図９】
2004071727.tif 000011
【図１０】
2004071727.tif 000012
【図１１】
2004071727.tif 000013
【図１２】
2004071727.tif 000014
【図１３】
2004071727.tif 000015
【図１４】
2004071727.tif 000016
【図１５】
2004071727.tif 000017
【図１６】
2004071727.tif 000018
【図１７】
2004071727.tif 000019
【図１８】
2004071727.tif 000020
【国際調査報告】
2004071727.tif 000021
2004071727.tif 000022